(57)【要約】【課題】殺菌成分による殺菌効果を高めることが可能な口腔ケア装置を提供する。【解決手段】電動歯ブラシ１は、口腔内をケアするためのブラシ体３０と、このブラシ体３０が取り付けられる装置本体１０と、歯を清掃するためのブリッスル束４０と、使用者の手に接触する把持電極１４とを有する。装置本体１０は、ブリッスル束４０の極性と把持電極１４の極性とを入れ替える切替回路２２を有する。【選択図】図３
2013066547.tif 000002
【特許請求の範囲】
【請求項１】
口腔内をケアするためのヘッド部と、使用者が把持するための装置本体と、前記ヘッド部に備えられる第１電極と、前記装置本体に備えられる第２電極とを含む口腔ケア装置において、
前記ヘッド部上の殺菌成分に応じて前記第１電極の極性と前記第２電極の極性とを入れ替えるための切替機構を含む
ことを特徴とする口腔ケア装置。
【請求項２】
請求項１に記載の口腔ケア装置において、
前記ヘッド部は、ブリッスル束を含み、
前記ブリッスル束は、導電性を有する複数のブリッスルを含む
ことを特徴とする口腔ケア装置。
【請求項３】
請求項２に記載の口腔ケア装置において、
前記ブリッスルは、導電性の芯部および非導電性の鞘部を含み、
前記鞘部は、前記芯部の外周を被覆する
ことを特徴とする口腔ケア装置。
【請求項４】
請求項１〜３のいずれか一項に記載の口腔ケア装置において、
前記第１電極の極性が陽極かつ前記第２電極の極性が陰極のとき、前記ヘッド部上の陽イオン系殺菌成分を前記口腔内の対象部位に供給する
ことを特徴とする口腔ケア装置。
【請求項５】
請求項１〜４のいずれか一項に記載の口腔ケア装置において、
前記第１電極の極性が陰極かつ前記第２電極の極性が陽極のとき、前記ヘッド部上の陰イオン系殺菌成分を前記口腔内の対象部位に供給する
ことを特徴とする口腔ケア装置。
【請求項６】
請求項１〜５のいずれか一項に記載の口腔ケア装置において、
前記ヘッド部は、導電性を有する複数のブリッスル束を含み、
前記複数のブリッスル束は、前記ヘッド部上において口腔内の対象部位の形状に応じた部位に位置する
ことを特徴とする口腔ケア装置。
【請求項７】
請求項１〜６のいずれか一項に記載の口腔ケア装置において、
前記ヘッド部は、導電性を有する第１ブリッスル束と、非導電性を有する第２ブリッスル束とを含み、
前記第１ブリッスル束は、前記第２ブリッスル束よりも高い
ことを特徴とする口腔ケア装置。
【請求項８】
請求項１〜７のいずれか一項に記載の口腔ケア装置において、
前記ヘッド部は、殺菌剤を保持する剤保持部を含む
ことを特徴とする口腔ケア装置。
【発明の詳細な説明】
【技術分野】
【０００１】
本発明は、口腔内をケアするためのヘッド部と、使用者が把持するための装置本体と、ヘッド部に備えられる第１電極と、装置本体に備えられる第２電極とを含む口腔ケア装置に関する。
【背景技術】
【０００２】
口腔ケア装置としては、歯に付着した歯垢等を除去するための歯ブラシ、および歯の着色汚れ（ステイン）を除去するためのステイン除去装置が主に知られている。
歯ブラシを用いた口腔内の殺菌方法としては、殺菌成分配合の歯磨剤または洗口剤等をブリッスル束に塗布し、手動または電動の歯ブラシによりブラッシングする方法が一般的に用いられている。この殺菌方法によれば、歯に付着した歯垢および細菌を機械的擦掃により除去し、かつ歯面および歯茎近傍に付着または浮遊している細菌を殺菌成分により殺菌することができる。
【０００３】
特許文献１〜４は、それぞれ具体的な殺菌方法の一例を開示している。
（Ａ）特許文献１は、口腔内の細菌に対する殺菌効果を有する陽イオン系殺菌成分、および塩化セチルピリジニウム（ＣＰＣ）を配合した歯磨剤を開示している。また、発泡性能、味、および使用感を損なうことなくＣＰＣの高い殺菌活性を維持した安定配合することができる歯磨剤を提案している。
【０００４】
（Ｂ）特許文献２は、歯垢および着色汚れ（ステイン）の分解だけでなく乳酸等の有機酸を分解し、あわせて歯垢、有機酸、および毒素等を産出する虫歯および歯槽膿漏の原因となる細菌を殺菌する電動歯ブラシを開示している。また電気回路の構成として、ヘッド部近傍から露出した電極と、装置本体に設けられた電極とにより、人体を介して口腔内に通電するものを開示している。
【０００５】
この電動歯ブラシによれば、虫歯および歯槽膿漏を予防することが可能であり、またブラッシングに不慣れな人でも歯の衛生状態を効果的に向上させることができる。なお乳酸は、水素イオン指数（ｐＨ）の低下による歯の脱灰の直接的な原因となることが知られている。
【０００６】
（Ｃ）特許文献３は、口腔内の塩化物イオンを用いて電気分解により有効塩素を発生させること、および口腔内において効率的に有効塩素を殺菌に用いることができることを開示している。またヘッド部として、導電性を有するブラシ毛によりブリッスル束を構成するものを開示している。なお、特許文献４は特許文献３と同様の事項を開示している。
【先行技術文献】
【特許文献】
【０００７】
【特許文献１】国際公開第２００９／２００１０号
【特許文献２】特開平６−９０８２４号公報
【特許文献３】特開２００６−１０２０９５号公報
【特許文献４】特開２００６−１８０９５３号公報
【発明の概要】
【発明が解決しようとする課題】
【０００８】
歯ブラシは、物理的に食べかすおよび歯垢を除去するものであり、基本的には殺菌機能を有していない。一方、口腔内の清掃に対する意識が高まる傾向にあるため、歯ブラシに殺菌機能を付加することは有用であると考えられている。しかし、抗菌剤などを併用した場合を除き、歯ブラシ等の器具単独で口腔内を殺菌することは難しい。
【０００９】
そこで、口腔内を殺菌して衛生状態を維持する方法として、殺菌成分を配合した歯磨剤または洗口剤等を用いたブラッシングが主に用いられている。虫歯および歯周病の原因となる菌を殺菌することにより、ブラッシング後の菌増加を抑制し、口腔内を清潔に維持することができる。また、殺菌効果を有する歯磨剤等の使用により、口腔内の細菌に起因する歯肉炎および歯槽膿漏などの歯周病、ならびに齲蝕の予防または治療につなげることができる。
【００１０】
上記歯磨剤の殺菌成分は、陽イオン系殺菌成分、陰イオン系殺菌成分、および非イオン系殺菌成分に分類される。また陽イオン系殺菌成分としては、塩化セチルピリジニウムおよび塩化ベンゼトニウムが挙げられる。また陰イオン系殺菌成分としては、ラウロイルサルコシンナトリウム等が挙げられる。また非イオン系殺菌成分としては、トリクロサン等が挙げられる。
【００１１】
このように、歯磨剤としては種々のものが開発されているが、歯周ポケット、歯間部、および歯の噛合面のように複雑な形状の箇所には、殺菌成分を配合した歯磨剤または洗口剤等が届きにくい。このため、同複雑な形状の箇所は、殺菌成分を用いても殺菌することが難しい。
【００１２】
また殺菌成分の多くは、表面に近い歯垢周囲を覆うバイオフィルムとよばれる膜の周囲に存在する細菌に対して高い殺菌効果を有しているが、バイオフィルムについての透過性および浸透性が低いため、バイオフィルム内部の細菌に対する殺菌の効果が低い。すなわち、歯垢表面に存在する細菌に対して高い殺菌効果を有するが、歯垢内部に存在する細菌に対する殺菌効果が低いため、歯磨剤を用いた場合には歯面等に比べて歯垢内部において細菌が増殖しやすい。
【００１３】
他方、歯周ポケット、歯間部、および歯の噛合面のように複雑な形状の箇所には、ブラシが届きにくい。このため、ブラッシングにより歯垢および細菌を十分に除去するためには、高いブラッシング技術および長時間のブラッシングが要求される。なお、歯面のように平滑な部分には、ブラシおよび殺菌成分が届きやすいため、ブラッシングの機械的な擦掃により歯垢および細菌を比較的容易に除去することができる。
【００１４】
このように、歯周ポケット、歯間部、および噛合面は、歯垢の除去および殺菌等が難しいため、虫歯リスクおよび歯周病リスクが高くなる。一方、歯肉炎および歯周病の予防または治療の観点から、こうした複雑な形状の箇所に対する歯垢の除去および殺菌の効果を高めることが求められている。そのためには、特定の部位に焦点を絞って集中的に殺菌作用を与えることが可能な技術が有用と考えられる。
【００１５】
そこで、歯周ポケット、歯間部、および噛合面等に存在する細菌に対する殺菌効果を高めるための手段の一つとして、歯磨剤中の殺菌成分の濃度を高くする方法等が挙げられる。しかしこの方法では、殺菌成分の濃度の増加にともない不快な味が引き起こされるとともに、口腔内に対する刺激性が高まるという問題が生じる。
【００１６】
以上のことから、虫歯リスクおよび歯周病リスクを効果的に低減するためには、細菌が存在する特定部位（歯周ポケット部、歯間部、および噛合面等）に対して殺菌成分を集中的に作用させること、および殺菌成分が浸透しにくい歯垢内部の細菌に対する殺菌効果を高めることの少なくとも一方を実現することが好ましい。なお、ここでは口腔ケア装置としての歯ブラシの課題について検討したが、殺菌成分を用いる口腔ケア装置（例えばステイン除去装置）においても上記と同様の課題が生じる。
【００１７】
本発明は上記課題を解決するためになされたものであり、殺菌成分による殺菌効果を高めることが可能な口腔ケア装置を提供することを目的としている。
【課題を解決するための手段】
【００１８】
・本発明の口腔ケア装置は、口腔内をケアするためのヘッド部と、使用者が把持するための装置本体と、前記ヘッド部に備えられる第１電極と、前記装置本体に備えられる第２電極とを含み、前記ヘッド部上の殺菌成分に応じて前記第１電極の極性と前記第２電極の極性とを入れ替えるための切替機構を含むことを特徴としている。
【００１９】
・この口腔ケア装置においては、前記ヘッド部がブリッスル束を含み、前記ブリッスル束が導電性を有する複数のブリッスルを含むことが好ましい。
・この口腔ケア装置においては、前記ブリッスルが導電性の芯部および非導電性の鞘部を含み、前記鞘部が前記芯部の外周を被覆することが好ましい。
【００２０】
・この口腔ケア装置においては、前記第１電極の極性が陽極かつ前記第２電極の極性が陰極のとき、前記ヘッド部上の陽イオン系殺菌成分を前記口腔内の対象部位に供給することが好ましい。
【００２１】
・この口腔ケア装置においては、前記第１電極の極性が陰極かつ前記第２電極の極性が陽極のとき、前記ヘッド部上の陰イオン系殺菌成分を前記口腔内の対象部位に供給することが好ましい。
【００２２】
・この口腔ケア装置においては、前記ヘッド部が導電性を有する複数のブリッスル束を含み、前記複数のブリッスル束が前記ヘッド部上において口腔内の対象部位の形状に応じた部位に位置することが好ましい。
【００２３】
・この口腔ケア装置においては、前記ヘッド部が導電性を有する第１ブリッスル束と、非導電性を有する第２ブリッスル束とを含み、前記第１ブリッスル束が前記第２ブリッスル束よりも高いことが好ましい。
【００２４】
・この口腔ケア装置においては、前記ヘッド部が殺菌剤を保持する剤保持部を含むことが好ましい。
【発明の効果】
【００２５】
本発明によれば、殺菌成分による殺菌効果を高めることが可能な口腔ケア装置を提供することができる。
【図面の簡単な説明】
【００２６】
【図１】本発明の一実施形態の電動歯ブラシについて、その断面構造を示す断面図。
【図２】同実施形態の電動歯ブラシについて、その回路構成を示すブロック図。
【図３】同実施形態の電動歯ブラシについて、（ａ）は把持電極が陰極かつブリッスル束が陽極のときの電気回路の構成を示す回路図、（ｂ）は把持電極が陽極かつブリッスル束が陰極のときの電気回路の構成を示す回路図。
【図４】本発明のその他の実施形態の電動歯ブラシについて、ブラシヘッドの正面構造を示す平面図。
【図５】本発明のその他の実施形態の電動歯ブラシについて、（ａ）はブラシヘッドの正面構造を示す正面図、（ｂ）はブラシヘッドの側面構造を示す側面図。
【図６】本発明のその他の実施形態の電動歯ブラシについて、（ａ）はブラシヘッドの正面構造を示す正面図、（ｂ）は同（ａ）のＡ−Ａ線に沿うブラシヘッドの断面構造を示す断面図。
【発明を実施するための形態】
【００２７】
図１を参照して、電動歯ブラシ１の全体構成について説明する。
電動歯ブラシ１は、使用者が把持する装置本体１０と、装置本体１０への取り付けおよび装置本体１０からの取り外しが可能な状態で装置本体１０に取り付けられたブラシ体３０とを有する。なお、電動歯ブラシ１は「口腔ケア装置」に相当する。
【００２８】
ブラシ体３０は、装置本体１０への取り付け部分を構成するブラシ柄３１と、ブラシ体３０の先端部分を構成するブラシヘッド３２と、ブラシヘッド３２の平面部分に固定された導電性部材３３とを有する。またこの他に、歯を清掃するための複数のブリッスル束４０と、ブラシ体３０の内部において導電性部材３３に接続される接続ターミナル３４とを有する。なお、ブラシヘッド３２は「ヘッド部」に相当する。また、ブリッスル束４０は「第１電極」に相当する。
【００２９】
各ブリッスル束４０は、複数のブリッスル４１を有する。各ブリッスル４１は、導電性を有する樹脂材料により形成された芯部４２と、非導電性を有する樹脂材料により形成された鞘部４３とを有する。芯部４２は、鞘部４３の中空部分に位置する。芯部４２の先端部分４２Ａは、鞘部４３の先端部分において鞘部４３の外部に突出している。なお、導電性を有する樹脂材料としては、カーボンを含むポリアミド樹脂が用いられる。また、非導電性を有する樹脂材料としては、カーボンを含まないポリアミド樹脂が用いられる。
【００３０】
各ブリッスル４１の外径および高さは、同じ大きさを有する。すなわち各ブリッスル束４０は、同じ高さを有する。ブリッスル束４０およびブリッスル４１の高さは、ブラシヘッド３２の平面部分からブリッスル４１の先端面までの距離を示す。ブリッスル４１は、芯部４２が鞘部４３から突出する構造を有するため、芯部４２の先端面がブリッスル４１の先端面に相当する。
【００３１】
装置本体１０は、使用者が把持する本体ケース１１と、電源となる２次電池１２と、ブラシ体３０を振動させる電動モータ１３と、電動モータ１３の動作等を制御する本体回路２０とを有する。
【００３２】
電動モータ１３の出力軸１３Ａは、装置本体１０にブラシ体３０が取り付けられた状態において、接続ターミナル３４に接続される。電動モータ１３としては、リニアモータが用いられる。
【００３３】
本体ケース１１は、ブリッスル束４０の極性と把持電極１４の極性との組合せ（以下、「極性組合せ」）を切り替える極性切替スイッチ１６と、２次電池１２と本体回路２０との電気的な接続および遮断を切り替える電源スイッチ１５とを有する。またこの他に、使用者が本体ケース１１を把持したときに手に接触する把持電極１４と、本体回路２０に対する電力の供給態様を表示する表示部１７とを有する。なお、把持電極１４は「第２電極」に相当する。また、極性切替スイッチ１６は「切替機構」に相当する。
【００３４】
極性切替スイッチ１６は、２つのスイッチ、すなわち第１スイッチ１６Ａおよび第２スイッチ１６Ｂを有する。第１スイッチ１６Ａは、オン状態のとき、ブリッスル束４０の極性として陽極を選択し、かつ把持電極１４の極性として陰極を選択する。第２スイッチ１６Ｂは、オン状態のとき、ブリッスル束４０の極性として陰極を選択し、かつ把持電極１４の極性として陽極を選択する。以下では、第１スイッチ１６Ａがオン状態のときの極性組合せを「組合極性Ａ」とする。また、第２スイッチ１６Ｂがオン状態のときの極性組合せを「組合極性Ｂ」とする。
【００３５】
表示部１７は、発光ダイオードを有する。発光ダイオードは、電源スイッチ１５がオン状態のとき、すなわち２次電池１２から本体回路２０に電力が供給されているとき、点灯する。また、電源スイッチ１５がオフ状態のとき、すなわち２次電池１２から本体回路２０に電力が供給されていないとき、消灯する。
【００３６】
図２を参照して、電動歯ブラシ１の回路構成について説明する。
本体回路２０は、極性切替スイッチ１６の動作に応じて極性組合せを切り替える切替回路２２と、図１の電動モータ１３の動作および切替回路２２の切替態様を制御する制御回路２１とを有する。なお、切替回路２２は「切替機構」に相当する。
【００３７】
電源スイッチ１５、極性切替スイッチ１６、表示部１７、および切替回路２２は、制御回路２１に接続されている。把持電極１４は、切替回路２２に接続されている。切替回路２２は、電動モータ１３の出力軸１３Ａに接続されている。
【００３８】
制御回路２１は、２次電池１２の電力を切替回路２２、把持電極１４、電源スイッチ１５、極性切替スイッチ１６、および表示部１７に電力を供給する。切替回路２２は、制御回路２１から供給された電力を電動モータ１３の出力軸１３Ａに供給する。出力軸１３Ａは、切替回路２２から供給された電力をブラシ体３０の接続ターミナル３４に供給する。
【００３９】
電動歯ブラシ１は、使用者により使用されているとき、装置本体１０の把持電極１４、本体回路２０、電動モータ１３の出力軸１３Ａ、ブラシ体３０の接続ターミナル３４、導電性部材３３、各ブリッスル束４０、口腔内の唾液、歯茎等の組織、および人体により電気回路（以下、「通電回路」）を形成する。
【００４０】
図３を参照して、切替回路２２の詳細な構成について説明する。
切替回路２２は、各導電線の接続状態を切り替える３つのスイッチ、すなわち第１切替スイッチ２２Ａ、第２切替スイッチ２２Ｂ、および第３切替スイッチ２２Ｃを有する。
【００４１】
第１切替スイッチ２２Ａは、把持電極１４と２次電池１２の陰極との接続状態を切り替える。すなわち、把持電極１４と２次電池１２の陰極とを互いに接続する切替位置と、把持電極１４と２次電池１２の陰極とを互いに遮断する切替位置とを有する。
【００４２】
第２切替スイッチ２２Ｂは、把持電極１４および出力軸１３Ａと２次電池１２の陽極との接続状態を切り替える。すなわち、把持電極１４と２次電池１２の陽極とを互いに接続し、かつ出力軸１３Ａと２次電池１２の陽極とを互いに遮断する切替位置と、把持電極１４と２次電池１２の陽極とを互いに遮断し、かつ出力軸１３Ａと２次電池１２の陽極とを互いに接続する切替位置とを有する。
【００４３】
第３切替スイッチ２２Ｃは、出力軸１３Ａと２次電池１２の陰極との接続状態を切り替える。すなわち、出力軸１３Ａと２次電池１２の陰極とを互いに接続する切替位置と、出力軸１３Ａと２次電池１２の陰極とを互いに遮断する切替位置とを有する。
【００４４】
制御回路２１による切替回路２２の制御について説明する。
極性切替スイッチ１６は、第１スイッチ１６Ａがオン操作されたとき、極性組合せとして組合極性Ａを選択するための指令信号を制御回路２１に送信する。また、第２スイッチ１６Ｂがオン操作されたとき、極性組合せとして組合極性Ｂを選択するための指令信号を制御回路２１に送信する。
【００４５】
図３（ａ）に示されるように、制御回路２１は、第１スイッチ１６Ａから指令信号を受信したとき、第１切替スイッチ２２Ａにより把持電極１４と２次電池１２の陰極とを互いに接続する。また、第２切替スイッチ２２Ｂにより出力軸１３Ａと２次電池１２の陽極とを互いに接続する。また、第３切替スイッチ２２Ｃにより出力軸１３Ａと２次電池１２の陰極とを互いに遮断する。これにより、極性組合せとして組合極性Ａが選択される。
【００４６】
図３（ｂ）に示されるように、制御回路２１は、第２スイッチ１６Ｂから指令信号を受信したとき、第１切替スイッチ２２Ａにより把持電極１４と２次電池１２の陰極とを互いに遮断する。また、第２切替スイッチ２２Ｂにより把持電極１４と２次電池１２の陽極とを互いに接続する。また、第３切替スイッチ２２Ｃにより出力軸１３Ａと２次電池１２の陰極とを互いに接続する。これにより、極性組合せとして組合極性Ｂが選択される。
【００４７】
電動歯ブラシ１の使用方法について説明する。
歯磨剤の殺菌成分は、陽イオン系殺菌成分、陰イオン系殺菌成分、および非イオン系殺菌成分に分類される。陽イオン系殺菌成分としては、塩化セチルピリジニウムおよび塩化ベンゼトニウムが挙げられる。陰イオン系殺菌成分としては、ラウロイルサルコシンナトリウム等が挙げられる。非イオン系殺菌成分としては、トリクロサン等が挙げられる。なお、歯磨剤は「殺菌剤」に相当する。
【００４８】
使用者は、電動歯ブラシ１を用いて歯の清掃を行うとき、殺菌成分を含む歯磨剤を図１のブリッスル束４０に塗布する。そして、歯磨剤の殺菌成分の極性に応じて極性切替スイッチ１６を操作する。すなわち、歯磨剤に陽イオン系殺菌成分が含まれているとき、第１スイッチ１６Ａをオン操作する。一方、歯磨剤に陰イオン系殺菌成分が含まれているとき、第２スイッチ１６Ｂをオン操作する。
【００４９】
極性組合せとして組合極性Ａが選択されているとき、陽イオン系殺菌成分とブリッスル束４０の極性とが反発し合い、かつ陽イオン系殺菌成分と口腔内の極性とが引き寄せ合う。このため、陽イオン系殺菌成分が効率的に歯および歯茎に供給される。
【００５０】
極性組合せとして組合極性Ｂが選択されているとき、陰イオン系殺菌成分とブリッスル束４０の極性とが反発し合い、かつ陰イオン系殺菌成分と口腔内の極性とが引き寄せ合う。このため、陰イオン系殺菌成分が効率的に歯および歯茎に供給される。
【００５１】
（実施形態の効果）
本実施形態の電動歯ブラシ１は以下の効果を奏する。
（１）電動歯ブラシ１は、把持電極１４の極性およびブリッスル束４０の極性を入れ替える切替回路２２を有する。この構成によれば、歯磨剤に含まれる殺菌成分の極性に応じて把持電極１４の極性およびブリッスル束４０の極性を入れ替えることができる。このため、殺菌成分を歯および歯茎に効率的に浸透させることにより、殺菌成分による殺菌効果を高めることができる。
【００５２】
（２）ブリッスル４１は、導電性を有する芯部４２と、非導電性を有する鞘部４３とを有する。芯部４２の先端部分４２Ａは、鞘部４３の外部に突出している。この構成によれば、ブリッスル４１を流れる電力が芯部４２の先端部分４２Ａに集中するため、歯および歯茎に対する殺菌成分の供給効率をより高めることができる。
【００５３】
（その他の実施形態）
本発明の実施態様は、上記実施形態の内容に限られるものではなく、例えば以下のように変更することもできる。また、以下の変形例は上記実施形態についてのみ適用されるものではなく、異なる変形例同士を互いに組み合わせて実施することもできる。
【００５４】
・上記実施形態（図１）の電動歯ブラシ１は、ブリッスル束として導電性を有するブリッスル束４０のみを有しているが、ブリッスル束４０に加えて非導電性を有するブリッスル束をブラシヘッド３２に植毛することもできる。図４に、２種類のブリッスル束を有する構成の一例を示す。
【００５５】
図４（ａ）に示されるように、ブラシヘッド３２は、導電性を有する複数のブリッスル束４０と、非導電性を有する複数のブリッスル束５０とを有する。各ブリッスル束４０は、ブラシヘッド３２の外周部分においてＵ字型の配置形状を有する。すなわち各ブリッスル束４０は、口腔内の対象部位としての歯周ポケットの形状に対応した形状のブリッスル束列４０Ａを形成している。各ブリッスル束５０は、ブラシヘッド３２の長手方向Ｘに沿うブリッスル束４０の一方の辺と他方の辺との間に位置する。なお、ブリッスル束４０は「第１ブリッスル束」に相当する。また、ブリッスル束５０は「第２ブリッスル束」に相当する。
【００５６】
この構成によれば、ブリッスル束列４０Ａが形成されていることにより、口腔内の対象部位としての歯周ポケットまたはその近傍に各ブリッスル束４０を容易に接触させることが可能になる。このため、歯周ポケットに対する歯磨剤７０の殺菌成分の供給効率がより高められる。
【００５７】
図４（ｂ）に示されるように、ブラシヘッド３２は、導電性を有する複数のブリッスル束４０と、非導電性を有する複数のブリッスル束５０とを有する。各ブリッスル束４０は、ブラシヘッド３２の長手方向Ｘおよび短手方向Ｙの中間部分に位置する。すなわち各ブリッスル束４０は、口腔内の対象部位としての歯の噛合面に対応した形状のブリッスル束群４０Ｂを形成している。各ブリッスル束５０は、各ブリッスル束４０の外周全体に位置する。
【００５８】
この構成によれば、ブリッスル束群４０Ｂが形成されていることにより、口腔内の対象部位として歯の噛合面に各ブリッスル束４０を容易に接触させることが可能になる。このため、歯の噛合面に対する歯磨剤７０の殺菌成分の供給効率がより高められる。
【００５９】
図４（ｃ）に示されるように、ブラシヘッド３２は、導電性を有する複数のブリッスル束４０と、非導電性を有する複数のブリッスル束５０とを有する。各ブリッスル束４０は、ブラシヘッド３２の長手方向Ｘの先端側端部および基端側端部において短手方向Ｙに延びる列を形成している。すなわち各ブリッスル束４０は、口腔内の対象部位としての歯間部分に対応した形状の一対のブリッスル束列４０Ｃを形成している。各ブリッスル束５０は、ブリッスル束４０の列の間に位置する。
【００６０】
この構成によれば、ブリッスル束列４０Ｃが形成されていることにより、口腔内の対象部位としての歯間部分に各ブリッスル束４０を容易に接触させることが可能になる。このため、歯間部分に対する歯磨剤７０の殺菌成分の供給効率がより高められる。
【００６１】
・図４（ａ）〜（ｃ）の各ブラシヘッド３２において、ブリッスル束４０およびブリッスル束５０の高さを互いに異なるものに変更することもできる。例えば、ブリッスル束４０をブリッスル束５０よりも高くした場合には、ブリッスル束４０が歯および歯茎に接触しやすくなる。
【００６２】
・上記実施形態（図１）の電動歯ブラシ１において、歯磨剤７０を保持する機能をブラシヘッド３２にもたせることもできる。その例としては、図５に示されるブラシヘッド３２、および図６に示されるブラシヘッド３２が挙げられる。
【００６３】
（Ａ）図５のブラシヘッド３２は、歯磨剤７０を保持する剤保持部６０を有する。図５（ａ）に示されるように、剤保持部６０は、各ブリッスル束４０の外周を取り囲む形状を有する。図５（ｂ）に示されるように、剤保持部６０の高さは、ブリッスル束４０の高さよりも大きい。剤保持部６０の材料は、主成分としてエラストマーを含む。
【００６４】
使用者は、歯を清掃するとき、各ブリッスル束４０の先端面に歯磨剤７０を塗布する。このとき、各ブリッスル束４０の径方向への歯磨剤７０の移動が剤保持部６０により規制される。このため、歯および歯茎に対する歯磨剤７０の殺菌成分の供給効率がより高められる。
【００６５】
（Ｂ）図６のブラシヘッド３２は、歯磨剤７０を保持する複数のブリッスル束４０および複数のブリッスル束５０を有する。図６（ａ）に示されるように、非導電性を有する各ブリッスル束５０は、ブラシヘッド３２の長手方向Ｘおよび短手方向Ｙの中間部分に位置する。導電性を有する各ブリッスル束４０は、ブラシヘッド３２上において各ブリッスル束５０の外周を取り囲む部分に位置する。図６（ｂ）に示されるように、ブリッスル束４０の高さＨ１は、ブリッスル束５０の高さＨ２よりも大きい。
【００６６】
使用者は、歯を清掃するとき、各ブリッスル束４０および各ブリッスル束５０の先端面に歯磨剤７０を塗布する。このとき、各ブリッスル束５０の先端面に塗布された歯磨剤７０は、ブラシヘッド３２の長手方向Ｘおよび短手方向Ｙへの移動がブリッスル束４０により規制される。このため、歯および歯茎に対する歯磨剤７０の殺菌成分の供給効率がより高められる。
【００６７】
・図６のブラシヘッド３２において、図５の剤保持部６０を形成することもできる。剤保持部６０の高さは、非導電性のブリッスル束５０よりも大きくかつ導電性のブリッスル束４０よりも小さい高さ、またはブリッスル束４０と同じ高さ、またはブリッスル束４０よりも大きい高さに設定することができる。
【００６８】
・図６のブラシヘッド３２において、非導電性の各ブリッスル束５０の少なくとも１つに代えて導電性のブリッスル束４０を備えることもできる。この場合、ブリッスル束５０に代わるブリッスル束４０の高さは、図６のブラシヘッド３２におけるブリッスル束５０と同じ高さを有する。
【００６９】
・上記実施形態（図２）の電動歯ブラシ１の通電回路は、出力軸１３Ａと接続ターミナル３４とを接続しているが、切替回路２２を接続ターミナル３４に直接的に接続することもできる。
【００７０】
・上記実施形態（図３）の電動歯ブラシ１は、極性切替スイッチ１６の操作に応じて極性組合せを選択しているが、極性組合せを選択するための構成を以下のように変更することもできる。
【００７１】
電動歯ブラシ１は、ブリッスル束４０に載せられた歯磨剤の殺菌成分の表面における電荷に基づいて、殺菌成分が陽イオン系殺菌成分および陰イオン系殺菌成分のいずれかを判定する極性判定装置を有する。
【００７２】
極性判定装置は、歯磨剤の表面における電荷が「０」よりも大きくかつ基準値未満のとき、歯磨剤に陰イオン系殺菌成分が含まれていると判定する。一方、歯磨剤の表面における電荷が基準値以上のとき、歯磨剤に陽イオン系殺菌成分が含まれていると判定する。
【００７３】
制御回路２１は、極性判定装置による歯磨剤の殺菌成分の判定結果に基づいて、上記実施形態に準じた態様で切替回路２２を制御することにより、殺菌成分に応じた極性組合せを選択する。
【００７４】
・上記変形例において、極性判定装置を装置本体１０およびブラシ体３０とは別体の装置として構成することもできる。
・上記実施形態（図１）の電動歯ブラシ１は、装置本体１０に対するブラシ体３０の取り付けおよび取り外しが可能な構成を有しているが、装置本体１０とブラシ体３０とを一体化することもできる。
【００７５】
・上記実施形態（図１）の電動歯ブラシ１は、ブラシ体３０を振動させる機能を有しているが、この機能を省略することもできる。すなわち、装置本体１０から電動モータ１３を省略することもできる。この電動歯ブラシ１は、出力軸１３Ａに代えて本体回路２０と接続ターミナル３４とを電気的に接続する導電部材を有する。
【００７６】
・上記実施形態（図１）では、口腔ケア装置としての電動歯ブラシ１に本発明を適用しているが、他の口腔ケア装置に本発明を適用することもできる。他の口腔ケア装置の例としては、ステイン除去装置が挙げられる。要するに、殺菌成分を用いる口腔ケア装置であれば、上記実施形態に準じた態様で本発明を適用することができる。
【符号の説明】
【００７７】
１…電動歯ブラシ（口腔ケア装置）、１０…装置本体、１４…把持電極（第２電極）、１６…極性切替スイッチ（切替機構）、２２…切替回路（切替機構）、３２…ブラシヘッド（ヘッド部）、４０…ブリッスル束（第１電極、第１ブリッスル束）、４１…ブリッスル、４２…芯部、４３…鞘部、５０…ブリッスル束（第２ブリッスル束）、６０…剤保持部、７０…歯磨剤（殺菌剤）。
【図１】
2013066547.tif 000003
【図２】
2013066547.tif 000004
【図３】
2013066547.tif 000005
【図４】
2013066547.tif 000006
【図５】
2013066547.tif 000007
【図６】
2013066547.tif 000008